(57)【要約】      （修正有）【課題】予め型を形成することなく、各自の創造性にしたがって変形性に優れた粘土を用いて遊び感覚でそれぞれの粘土人形を作成し、好き好きの箇所に可動性の部材をつけて今まで動きのなかった粘土人形にストップモーションなどの興味ある動きをすることができる創造性の豊かな粘土人形を提供する。【解決手段】粘土で形成し乾燥した本体部２と粘土で形成し乾燥した変動可能な少なくとも一つ以上の変動部３とからなり、前記本体部２と変動部３との接触面にはそれぞれ接着剤層４が形成されていて、該各接着剤層４には、雄型スナップボタン５と雌型スナップボタン６の裏面が固着されており、前記雌型スナップボタンと雄型スナップボタンの表面側で係合可能となっている。【選択図】図１
0003179828.tif 000002
【実用新案登録請求の範囲】
【請求項１】
粘土で形成し乾燥した本体部と粘土で形成し乾燥した変動可能な少なくとも一つ以上の変動部とからなり、前記本体部と変動部との接触面にはそれぞれ接着剤層が形成されていて、該各接着剤層には、雄型スナップボタンと雌型スナップボタンの裏面が固着されており、前記雄型スナップボタンと雌型スナップボタンの表面側で係合可能となっていることを特徴とするストップモーション可能な粘土人形。
【考案の詳細な説明】
【技術分野】
【０００１】  本考案は、手芸者の創造性にしたがって自由自在に形成ができ、そして自由自在に動かせることが可能であって、しかも所望の位置で停止できるストップモーション可能な粘土人形に関するものである。
【背景技術】
【０００２】  頭、腕、腰、手足が動き得る人形としては、特許文献１に記載されているように、複雑な関節機構を備えていて、プラスチック、木材、金属などを主材料として巧みに形成され、高級感のある衣服を着用した高級イメ−ジの強い人形が知られている。
【先行技術文献】
【特許文献】
【０００３】
【特許文献１】  特開２００６−１３６６６０号公報
【０００４】  しかし、このような人形においては、プラスチック、木材、金属などを主材料として形成されているため、予め高級な人形型を専門家が形成しておき、その型に基づいて大量生産されるため、子供やグル−プ活動の主婦などが各々の想像力を加えて遊び感覚で作る人形としては、適切ではないのが実情である。
【考案の概要】
【考案が解決しようとする課題】
【０００５】  本考案は、上記のような従来の欠点を改善して、予め型を形成することなく、子供やグル−プ活動の主婦グル−プの集まりで各自の創造性にしたがって変形性に優れた粘土を用いて遊び感覚でそれぞれの粘土人形を作成し、これを乾燥して形を決定した後、頭、腰、手足などの普通に動かせる個所のほかに、眉毛、口、鼻、耳やしっぽなどの好き好きの箇所に可動性の部材をつけて動きのある人形を作成することにより、今まで動きのなかった粘土人形にストップモーションなどの興味ある動きをすることができる創造性の豊かな粘土人形を提供することを目的とするものである。
【課題を解決するための手段】
【０００６】  本考案は上記の目的を達成するものであって、請求項１の考案は、粘土で形成し乾燥した本体部と粘土で形成し乾燥した変動可能な少なくとも一つ以上の変動部とからなり、前記本体部と変動部との接触面にはそれぞれ接着剤層が形成されていて、該各接着剤層には、雄型スナップボタンと雌型スナップボタンの裏面が固着されており、前記雄型スナップボタンと雌型スナップボタンの表面側で係合可能となっていることを特徴とするストップモーション可能な粘土人形である。【０００７】
【考案の効果】
【０００８】  本考案の移動可能な粘土人形は、予め型を形成することなく、子供やグル−プ活動の主婦グル−プの集まりで各自の創造性にしたがって変形性に優れた粘土を用いて各自自由自在にそれぞれの粘土人形を作成し、これを乾燥して形を決定した後、頭、腰、手足などの動かせる個所を本体部と可動部とに分離して、接着剤を用いて簡易にスナップボタンを取り付けて動きのある人形を作成することにより、今まで動きのなかった粘土人形にストップモーションなどの興味ある動きをすることができる創造性の豊かな粘土人形を提供することが可能である。本考案の粘土人形は、人間に限らず、動物などや擬人化した動植物、岩石、太陽などの各種物体であっても良いので、子供たちなどによって創造性に富んだ粘土人形の制作が可能である。
【図面の簡単な説明】
【０００９】
【図１】  本考案のストップモーション可能な粘土人形の一例を示す正面図である。
【図２】  図１の粘土人形の側面図である。
【図３】  図１の粘土人形に用いたスナップボタンの側面図である。
【考案を実施するための形態】
【００１０】  以下、本考案を図示の実施例に従って詳細に説明する。
【００１１】  図１ないし図３において、１は本考案のストップモーション可能な粘土人形であり、該ストップモーション可能な粘土人形１は、粘土で形成し乾燥した本体部２と粘土で形成し乾燥した変動可能な少なくとも一つ以上の変動部３とからなり、前記本体部２と変動部３との接触面にはそれぞれ接着剤層４が形成されていて、該各接着剤層４には、雄型スナップボタン５と雌型スナップボタン６の裏面が固着されており、前記雄型スナップボタン５と雌型スナップボタン６の表面側で係合可能となっている。
【００１２】  図１ないし図２において、粘土人形１は、本体部２と少なくとも一つ以上の変動部３とから形成されていて、先ず胴体部が本体部１をなしていて、これに頭部、腕部、脚部が変動部２として可動可能に接合されており、この変動部を本体部として、さらに手部や足部が可動可能に接合されていても良い。このようにして、変動部が複数において順次接合されていても良いのである。これによって、微妙な複雑な動きの可能な人形ができるのである。
【００１３】  本考案のストップモーション可能な粘土人形１の本体部２と変動部３とは、いずれも粘土で形成されているが、この粘土は、いかなる粘土でも良い。このように、本考案の粘土人形においては、変形可能な粘土から形成されており、子供や主婦グループのメンバーが自由に独自の創造力に従って変形することができるものであり、しかも乾燥によって形を特定可能なものである。
【００１４】  本考案で使用する接着剤は、スナップボタンと粘土とを接着できる接着剤であれば、いかなる接着剤であっても良い。本考案においては、粘土とスナップボタンとは接着剤で固着できるので、子供などの作業としては、非常に簡易に粘土人形が制作可能である。
【００１５】  本考案で使用し得るスナップボタンは、図３に示すように、凸部５と凹部６を係合することに固定できるものであれば、いかなるものであっても良く、金属製に限らず、プラスチック製その他であっても良い。スナップボタンは、凸部が凹部の可動箇所を押圧で差し込むことにより係合できるものであり、係合後は回動可能であるので、特定の箇所で停止することができ、ストップモーション可能な動きができるのである。
【００１６】  クレイアニメでは、粘土人形があたかも自由に動いているかのような動きをしているが、これは、一こまのこま撮りをした後に、人間が粘土人形を少しだけ移動した状態で固定して、次のこま撮りをするので、クレイアニメで粘土人形が滑らかに歩くだけでも膨大な作業が繰り返されるのである。しかも、下手に粘土人形を移動させようとすると、動きの予想されていない箇所まで動いてしまう欠点もある。
【００１７】  スナップボタンを使用して可動箇所を動かせるときには、スナップボタンの凸部と凹部との係合にしたがって両表面が平行状態を維持して回動可能なので、粘土人形の動きを子供でも容易に特定することができるため、粘土人形をスナップボタンの回動によって速やかに移動させることができ、今まではクレイアニメでこま撮りに膨大な時間を要していたが、子供でもクレイアニメの作成にチャレンジすることができ、興味ある夏休みの作品も可能である。
【００１８】  本考案では、スナップボタンを使用しているので、可動部が他の可動部と簡単に交換できるので、予想外の変化を簡単にさせることが可能である。怒った顔を笑い顔に変えることもできるし、裸足の足を靴を履いた足に変えたり、下駄を履いた足に変えることも瞬時にできることとなる。
【００１９】  また、手足などが着脱可能なので、身体が自由自在にばらばらになり、衣服の着脱が簡単になり、粘土人形の衣服のデザインの変化の巾が広がるなどの利点もある。
【００２０】  本考案の粘土人形は、スナップボタンの凸部と凹部との係合にしたがって両表面が平行状態を維持して回動可能なので、本体部と変動部との端面の角度を適宜変更することにより、変化のある動きが可能である。本体部と変動部との端面の角度は、動きの方向に対して同方向又は直角方向であることが基本であるが、適宜変更して図１、図２の肘部のように例えば４５度方向にして肘や膝などを可動とさせることも可能である。
更に、図１、図２の膝部のように接合部においてそれぞれ細巾部を形成してその箇所にスナップボタンを設けて可動部を形成することも可能である、
【００２１】  また、方向の異なる２種のスナップボタンを併用することによって、頭の動きなどを前後左右に複雑な変化のある動きが可能となる。
なお、以上の説明においては、スナップボタンを用いて可動にすることについてのべたが、磁石を併用して複雑な可動部を簡易に制作することも可能である。
【００２２】  本考案に使用しうる粘土としては、いかなるものでも良いが、例えば、石粉、糊剤、水からなるものを例示することができるが、これに限らない。本考案においては、粘土を使用するので、柔らかくて、変形が容易であって、子供の制作において容易に各種の人形が制作可能であり、得られた人形はプラスチック製とは異なり、肌っぽい感じがでるので、違和感のない人形が得られるのである。なお、子供の制作であって、軽量な粘土を望む場合には、例えば粒径２０〜１２０μｍの合成樹脂微小中空球体を入れることも可能である。
【００２３】  合成樹脂微小中空球体は、低沸点の炭化水素等の液体を内包した合成樹脂製熱膨張性微小球体を加熱、発泡することなどによって形成した中空状の微小球体であって、その合成樹脂としては塩化ビニリデン、アクリロニトリル、アクリル酸エステルなどの各種の組合せの共重合体であることが望ましいが、これに限らない。合成樹脂微小中空球体の粒径は２０〜１５０μｍであることが望ましい。
【００２４】  この粘土に使用しうる石粉としては、各種の石粉が使用されるが、特にタルクが好適である。また、糊剤は粘土を柔軟性を保持しながら結合するものであり、各種のものが使用されるが、特にポリビニルアルコールが好適である。
この粘土には、上記のもののほか、繊維粉を添加することができる。繊維粉は、保形性を有するとともに、乾燥時における収縮防止効果を奏するものである。
【００２５】  以上の説明のように、本考案によれば、子供やグル−プ活動の主婦グル−プの集まりで各自の創造性にしたがって変形性に優れた粘土を用いて各自自由自在にそれぞれの粘土人形を作成し、これを乾燥して形を決定した後、頭、腰、手足などの動かせる個所を本体部と可動部とに分離して、接着剤を用いて簡易にスナップボタンを取り付けて動きのある人形を作成することにより、今まで動きのなかった粘土人形にストップモーションなどの興味ある動きをすることができる創造性の豊かな粘土人形を提供することが可能である。本考案の粘土人形は、人間に限らず、動物などや擬人化した動植物、岩石、太陽などの各種物体であっても良いので、子供たちなどによって創造性に富んだ粘土人形の制作が可能である。本考案の人形は自立性のものに限らず、綱や吊り輪や鉄棒にぶら下がったり、坐ったり、横たわったり、泳いだりなどのほか、種々の態様であっても良いのである。
【符号の説明】
【００２６】  １：ストップモーション可能な粘土人形
２：本体部
３：変動部
４：接着剤層
５：雄型スナップボタン
６：雌型スナップボタン
【図１】
0003179828.tif 000003
【図２】
0003179828.tif 000004
【図３】
0003179828.tif 000005